(57)【要約】【課題】ポータブルコンピュータの音声出力効率を向上でき、且つポータブルコンピュータ全体の音声品質を向上できるポータブルコンピュータの音声出力機構を提供する。【解決手段】カバー１２と、音声出力機構の外部構造体を構成するベース１８と、前記カバー１２と前記ベース１８からなる構造体に内蔵され、前記カバー１２と隣り合う面に少なくとも１個のスピーカ１０を配置可能とするスピーカ配置エリア２０が形成されると共に、その内部に内部スペース１６０が形成される位置決め枠フレーム１６を備える構成とした。【選択図】　　図４
0003098371.tif 000002
【実用新案登録請求の範囲】
【請求項１】
カバーと、音声出力機構の外部構造体を構成するベースと、前記カバーと前記ベースからなる構造体に内蔵され、前記カバーと隣り合う面に少なくとも一つのスピーカを配置可能とするスピーカ配置エリアを形成すると共に、その内部に内部スペースが形成される位置決め枠フレームとを備えたことを特徴とするポータブルコンピュータの音声出力機構。
【請求項２】
前記カバーと前記位置決め枠フレームとの隣り合う面に少なくとも一つのスピーカが配置され、且つそのスピーカが前記スピーカ配置エリアに選択的に配置されるようにしたことを特徴とする請求項１に記載のポータブルコンピュータの音声出力機構。
【請求項３】
前記スピーカと前記スピーカ配置エリアとの隣接位置に少なくとも一つのオープン・ホールと少なくとも一つのサウンド・ガイド・ホールとが形成されると共に、それらのオープン・ホールとサウンド・ガイド・ホールとが対向し合うように位置決めされることを特徴とする請求項２に記載のポータブルコンピュータの音声出力機構。
【請求項４】
前記内部スペースには少なくともマザー・ボードと他の部材を収容可能になるように形成されていることを特徴とする請求項１に記載のポータブルコンピュータの音声出力機構。
【請求項５】
前記マザー・ボードと前記位置決め枠フレームとの隣り合う部分にはギャップが設けられるように設定されていることを特徴とする請求項４に記載のポータブルコンピュータの音声出力機構。
【請求項６】
前記ポータブルコンピュータは、ノートブック・タイプ・コンピュータや、手のひらタイプ・コンピュータや、平板タイプ・コンピュータや、デスクトップタイプ・コンピュータのうちから択一的に選択したものであることを特徴とする請求項１に記載のポータブルコンピュータの音声出力機構。
【考案の詳細な説明】
【０００１】
【考案の属する技術分野】
本考案は、ポータブルコンピュータの音声出力機構に係わり、特に、スピーカ・ユニットの共振スペースを拡大でき、好適な音声出力機構を形成でき、ポータブルコンピュータのスピーカの臨場感や音質や高低音効果などを向上できるようにしたポータブルコンピュータの音声出力機構に関するものである。
【０００２】
【従来の技術およびその課題】
現在、一般に歓迎されているポータブルコンピュータには、ノートブック・タイプ・コンピュータや平板タイプ・コンピュータなどがある。
図１に示すものは、従来型のポータブルコンピュータの構造を示す分解図である。前記ポータブルコンピュータは、主として、位置決め枠フレーム１６’と、カバー１２’と、べ一ス１８’と、マザー・ボード１７’とから構成されている。そして、前記カバー１２’が前記位置決め枠フレーム１６’の外方を覆い、且つ前記位置決め枠フレーム１６’が前記べ一ス１８’に配置され、当該位置決め枠フレーム１６’においては主にマザー・ボード１７’と他の部材（図示省略）とを収納するようになっている。
【０００３】
従来のポータブルコンピュータの音声出力機構は、大体二つのスピーカ１０’，１０’をカバー１２’内に固着すると共に、そのカバー１２’の本体に複数個のサウンド・ガイド・ホール１４’を加工形成し、スピーカ１０’から発生する音声を機体外へ拡散するようにしたものである。
【０００４】
しかしながら、従来の音声出力機構のデザインでは、そのスピーカの全体効率と音色に対しすべて大型化したデザインのものの影響を受けた構成を採用しており、そのため、ポータブルコンピュータの主目的とする機能の小型化に対して、大きな障害となっており、その構造の設計に矛盾が生じる場合がある。
ポータブルコンピュータを例とする場合では、製品の設計は軽薄短小が要求され、スピーカ１０’を扁平的な構成になるように設計しなければならない。
したがって、スピーカの音声ボックスに与えられる体積も小型になってしまい、スピーカの本来の機能を失ってしまっている。
【０００５】
すなわち、図２に示すように、従来のスピーカ１０’とカバー１２’と位置決め枠フレーム１６’との間の位置関係においては、スピーカ１０’が、固定ネジ１１’によってカバー１２’の下半部に固着され、それぞれのスピーカ１０’は複数のオープン・ホール１００’を有し、且つスピーカ１０’の下半部の位置決め枠フレーム１６’に対向する上半部に位置する。そのため、オープン・ホール１００’が位置決め枠フレーム１６’に緊密的に隣接するので、スピーカ１０’の音声がオープン・ホール１００’を通って放出される際に遮蔽されるようになってしまう。また、スピーカ１０’の仕事効率が劣ってしまい、ポータブルコンピュータの音声効果を劣化させることがあり、場合によっては、その音声出力効果を失ってしまうことがある。
【０００６】
【考案の目的】
本考案は、従来技術のポータブルコンピュータの音声出力効率を向上でき、改良後の音声出力機構によって大きいな音声ボックス・スペースを取得でき、ポータブルコンピュータ全体の音声効果の品質を向上できる、ポータブルコンピュータの音声出力機構を提供することをその主要な目的とする。
【０００７】
以下に、添付図面を参照しながら本考案の好適な実施の形態を詳細に説明するが、それらの具体的な構造は単に本考案の実施可能な実施例に過ぎず、本考案の実用新案登録請求の範囲を狭義的に定義するものではないことが言うまでもないことである。
【０００８】
【考案の好適な実施の形態】
本考案の実施形態は、ポータブルコンピュータに適用されるものであり、従来技術のポータブルコンピュータの音声出力機構における欠点を改善しようとするものである。
前記ポータブルコンピュータについては、ノートブック・タイプ・コンピュータや、手のひらタイプ・コンピュータや、平板タイプ・コンピュータや、デスクトップ・タイプ・コンピュータなどが含まれ、その応用範囲は幅広く適用可能であり、生活、仕事上において、音声の品質を向上できるポータブルコンピュータが提供できる。
【０００９】
図３に示すのは、本考案のポータブルコンピュータの好適な一実施の形態の機構の分解図で、当該図面においては、はっきりとノートブック・タイプ・コンピュータの主要な構成部材間の位置関係を示している。
前記ノートブック・タイプ・コンピュータの主要な構成部材は、パネル１４と、キーボード１５と、覆い板１９と、カバー１２と、二つのスピーカ１０と、位置決め枠フレーム１６と、部材固定板２１と、ベース１８とを備えてなる。
また、前記位置決め枠フレーム１６に凹んで形成される二つのスピーカ配置エリア２０には、前記二つのスピーカ１０が収容されるようになっている。
本考案は、主にカバー１２と、スピーカ１０と、スピーカ配置エリア２０と、位置決め枠フレーム１６及びベース１８の組み付け位置関係に技術的改良を加えたものである。
【００１０】
図４は本考案の好適な実施の形態の要部の断面図であり、当該図面から判かるように、本考案は、主にカバー１２と、ベース１８と、位置決め枠フレーム１６とからなり、そのうち、前記カバー１２と、前記べース１８とで本考案の外部構成が形成されており、前記位置決め枠フレーム１６が前記カバー１２と前記ベース１８とからなるスペース内に内蔵されると共に、当該位置決め枠フレーム１６によって設定される内部スペース１６０が形成される。
前記位置決め枠フレーム１６の一部である上部枠フレームにスピーカ配置エリア２０となる凹所が形成され、このスピーカ配置エリア２０にスピーカ１０が配設されるようになっている。
【００１１】
このような設計はポータブルコンピュータの軽薄短小の要求を満足するために形成されるのであり、前記スピーカ１０は前記カバー１２の内面側に螺着され、且つその位置決め枠フレーム１６のスピーカ配置エリア２０の上方に位置する。また、前記実施形態に代えて他の実施形態の場合では、スピーカ１０を位置決め枠フレーム１６に直接螺着するようにしてもよい。
【００１２】
前記スピーカ配置エリア２０には、所定間隔で離間した状態で複数のサウンド・ガイド・ホール２００がそれぞれ加工形成されており、音声がスピーカ１０より出力されると、直接的に前記サウンド・ガイド・ホール２００を通して内部スペース１６０に導入できる。注意すべきことは、この図面においては断面を示すため、サウンド・ガイド・ホール２００は二つしか示されていないが、二つ以上のサウンド・ガイド・ホール２００を有するようになっている。それらのサウンド・ガイド・ホール２００とスピーカ配置エリア２０との相互の関係については後で詳細的に説明する。
【００１３】
前述に説明した内部スペース１６０の機能により、一方ではスピーカ１０より出力され、サウンド・ガイド・ホール２００を通過して内部スペース１６０内に導かれた音声は、内部スペース１６０内で共振しながら共鳴状態にすることができるので、大幅にスピーカの音声出力効果を向上できると共に、他方では、内部スペース１６０は、本考案の音声出力機構を構成するだけではなく、同時に電子素子を収容するスペースと音声を保存する音声共鳴ボックスとを備える音声拡大機能を有する。
【００１４】
ここで、注意すべきところは、マザー・ボード１７と位置決め枠フレーム１６におけるサウンド・ガイド・ホール２００との間に所定の距離を隔てる必要があることで、そのことによってスピーカ１０の放出する音声をサウンド・ガイド・ホール２００を通して位置決め枠フレーム１６の内部スペース１６０に導入できるようになる。
【００１５】
図５は本考案のカバー１２とスピーカ１０と位置決め枠フレーム１６との相対的位置関係を示す透視図である。
本考案におけるカバー１２とスピーカ１０とは固定ネジ１１によって互いに螺着結合される。スピーカ１０の底部には複数のオープン・ホール１００が形成され、それらのオープン・ホール１００は、スピーカ配置エリア２０の対応する位置において形成された複数のサウンド・ガイド・ホール２００に対応する。
このような配置によって前述したように、音声がスピーカ１０より出力された場合には直ちに前記オープン・ホール１００とサウンド・ガイド・ホール２００を通して内部スペース１６０内へ導入できる。
【００１６】
図６は、本考案のスピーカを示す説明図であり、下方より斜め上方向を観察した状態の図を示している。
前記スピーカ１０には、複数のオープン・ホール１００が環状になるように配列されいて、それによって音声の発散を効果的に設定できる。また、前記スピーカ１０の一対の突出片にはそれぞれ螺着ホール１３が設けられており、スピーカ１０をカバー１２に螺着できるようになっている。
【００１７】
図７は、本考案のスピーカ配置エリアを示す説明図であり、斜め上方向から観察した状態の図を示している。
前記位置決め枠フレーム１６に形成されたスピ−カ配置エリア２０には、複数のサウンド・ガイド・ホール２００が環状になるように配列して形成されており、前記サウンド・ガイド・ホール２００は逐一的にスピーカ１０に設けたオープン・ホール１００と対向するような位置関係を成しており、スピーカ１０よりの音声出力をオープン・ホール１００から出力した後に直接的に前記サウンド・ガイド・ホール２００を通して内部スペース１６０内に導入する。
したがって、内部スペース１６０内に導かれた出力音声は共振によって共鳴ボックスとなる内部スペース１６０によって音声拡大効果を得ることができる。また、スピーカ配置エリア２０は、位置決め枠フレーム１６の一部を凹ませて形成しているため、スピーカ１０の収容が可能になっている。
【００１８】
また、前記に開示した構造は、単に本考案の実施可能な実施例を具体的に詳細に説明したものであり、本考案の実施形態に示す構成に限らず、本考案の実用新案登録請求の範囲の各請求項に記載した技術的範囲を逸脱しない範囲において、種々に変更し変形できることは言うまでもない。
【００１９】
【考案の効果】
本考案は、以上のような構成を備えているので、以下のような優れた利点を有する：
（１）本考案の構造による場合、スピーカからの音声出力を位置決めフレームの内部スペースに導いて共振させ、内部空間を共鳴ボックスとすることができるので、音声出力を増大できる。
（２）本考案の構造による場合、ポータブルコンピュータにおける音声出力に優れた臨場感や音質や高低音効果が期待できる。
（３）本考案の構造による場合、ポータブルコンピュータの有すべき要件である軽薄短小の要求に応えるもので、現在一般的となっているノートブック・タイプ・コンピュータなどに導入でき、且つ、将来マーケットの主流となり得るであろう手のひらタイプ・コンピュータなどにも利用できる将来性を充分に備えている。
【図面の簡単な説明】
【図１】従来技術のポータブルコンピュータ機体の構造を示す分解図である。
【図２】従来技術のスピーカとカバーと位置決め枠フレームとの相対的位置関係を示す説明図である。
【図３】本考案のポータブルコンピュータの好適な実施の形態の機体構造を示す分解図である。
【図４】本考案の好適な実施の形態を示す断面図である。
【図５】本考案のカバーとスピーカと位置決め枠フレームとの相対的位置関係の細部構造を示す透視図である。
【図６】本考案のスピーカを示す説明図である。
【図７】本考案のスピーカ配置エリアを示す説明図である。
【符号の説明】
１０’　　　スピーカ
１１’　　　固定ネジ
１２’　　　カバー
１４’　　　音声放出ホール
１６’　　　位置決め枠フレーム
１００’　　　オープン・ホール
１０　　　スピーカ
１１　　　固定ネジ
１２　　　カバー
１３　　　螺着ホール
１４　　　パネル
１５　　　キーボード
１６　　　位置決め枠フレーム
１７　　　マザー・ボード
１８　　　ベース
１９　　　カバー
２０　　　スピーカ配置エリア
２１　　　部材固定板
１００　　オープン・ホール
１６０　　内部スペース
２００　　サウンド・ガイド・ホール
【図１】
0003098371.tif 000003
【図２】
0003098371.tif 000004
【図３】
0003098371.tif 000005
【図４】
0003098371.tif 000006
【図５】
0003098371.tif 000007
【図６】
0003098371.tif 000008
【図７】
0003098371.tif 000009